(57)【要約】【課題】アーム式ハンドリング装置を使用して、ある程度の範囲の溶接範囲で溶接する場合に、一基のアーム式ハンドリング装置で複数の溶接機を使用することができて、省スペースかつ抵コストで溶接ワイヤを効率よく複数の溶接機に送給でき、溶接作業の効率を著しく向上できる溶接支援システム及び溶接支援方法を提供する。【解決手段】アーム１５の先端の載置台１６をアーム１２、１５の旋回もしくは上下回転若しくは伸縮により移動するアーム式ハンドリング装置１０を用いて、溶接ワイヤＷを収容しているワイヤホルダー３１を着脱可能に備える溶接ワイヤ送給装置３０に加えて、溶接ワイヤ送給装置３０から供給された溶接ワイヤＷを溶接機５０に送り出す溶接ワイヤ送り出し装置４０を、複数台、前記載置台１６に載置して構成している。【選択図】図１
2019155406.tif 000002
【特許請求の範囲】
【請求項１】
アームの先端の載置台を前記アームの旋回もしくは上下回転若しくは伸縮により移動するアーム式ハンドリング装置を用いて、溶接ワイヤを溶接場所に供給する溶接支援システムにおいて、
前記溶接ワイヤを収容しているワイヤホルダーを着脱可能に備える前記溶接ワイヤ送給装置に加えて、前記溶接ワイヤ送給装置から供給された前記溶接ワイヤを溶接機に送り出す溶接ワイヤ送り出し装置を備えると共に、
この溶接ワイヤ送り出し装置を複数台、前記載置台に載置していることを特徴とする溶接支援システム。
【請求項２】
前記載置台に前記溶接ワイヤ送り出し装置を駆動するための駆動用電気供給コンセントを設けて、この駆動用電気供給コンセントから前記溶接ワイヤ送り出し装置に電力を供給すると共に、前記溶接ワイヤ送り出し装置を前記載置台に対して着脱可能に設けていることを特徴とする請求項１に記載の溶接支援システム。
【請求項３】
溶接電源装置からの電力を前記溶接機に供給する溶接用電力供給線を前記載置台経由で配線していることを特徴とする請求項１または２に記載の溶接支援システム。
【請求項４】
前記アーム式ハンドリング装置を、支柱とこの支柱に第１関節を介して接続された第１アームと、この第１アームの先端に第２関節を介して接続された第２アームと、この第２アームの先端に配置された前記載置台とから構成し、前記第１アームを前記第１関節により水平面内で旋回可能に取り付けると共に、前記第２アームを前記第２関節により先端側が水平面内で首振り可能でかつ前記載置台１６を上下移動可能に構成していることを特徴とする請求項１〜３のいずれか１項に記載の溶接支援システム。
【請求項５】
前記アーム式ハンドリング装置に前記溶接ワイヤ送給装置を取り付けて構成していることを特徴とする請求項１〜４のいずれか１項に記載の溶接支援システム。
【請求項６】
前記アーム式ハンドリング装置を、溶接場所の基盤に対して着脱可能に構成していることを特徴とする請求項１〜５のいずれか１項に記載の溶接支援システム。
【請求項７】
アームの先端の載置台を前記アームの旋回もしくは上下回転若しくは伸縮により移動するアーム式ハンドリング装置を用いて、溶接ワイヤを溶接場所に供給する溶接支援方法において、
複数の溶接ワイヤ送給装置のワイヤホルダーから前記溶接ワイヤを供給すると共に、これらの前記溶接ワイヤを、前記載置台に載置され、かつ、前記溶接ワイヤ送給装置と同じ数の溶接ワイヤ送り出し装置で中継及び送り出しをすることにより、これらの前記溶接ワイヤを溶接機に送り出すことを特徴とする溶接支援方法。
【発明の詳細な説明】
【技術分野】
【０００１】
本発明は、溶接支援システム及び溶接支援方法に関する。
【背景技術】
【０００２】
溶接作業の自動化のために、溶接棒の代わりに溶接ワイヤが使用され、この溶接ワイヤを自動溶接機などの溶接機に継続して送り届けるために、様々な溶接ワイヤ送給装置が使用されている。例えば、ワイヤ送給部が設けられた送給部フレームと、ワイヤリールが搭載されるワイヤリール支持部材が取り付けられるワイヤリール支持フレームを有する溶接ワイヤ送給装置が提案されている（例えば、特許文献１参照）。
【０００３】
また、数個の関節を有する上アームの先端部の手首作用部に溶接用トーチを装着し、この上アームの基端部に溶接ワイヤ送給装置を装着して、さらに、この上アームを支持する下アームの基部にワイヤリールを配設したアーク溶接ロボットも提案されている（例えば、特許文献２参照）。
【先行技術文献】
【特許文献】
【０００４】
【特許文献１】特開２０１３−１１９１１６号公報
【特許文献２】特開２００６−２８９５０３号公報
【発明の概要】
【発明が解決しようとする課題】
【０００５】
しかしながら、造船業界においては、溶接ワイヤが使用されているが、長い溶接継手が多く、自動溶接や半自動溶接などのために、アーク溶接ロボットのような、溶接長さに比べて溶接用トーチの到達範囲が比較的小さい装置を使用しても、溶接作業の効率向上には限界がある。
【０００６】
本発明は、上記の状況を鑑みてなされたものであり、その目的は、アーム式ハンドリング装置を使用して、ある程度の範囲の溶接範囲で溶接する場合に、一基のアーム式ハンドリング装置で複数の溶接機を使用することができて、省スペースかつ抵コストで溶接ワイヤを効率よく複数の溶接機に送給でき、溶接作業の効率を著しく向上できる溶接支援システム及び溶接支援方法を提供することにある。
【課題を解決するための手段】
【０００７】
上記の目的を達成するための本発明の溶接支援システムは、アームの先端の載置台を前記アームの旋回もしくは上下回転若しくは伸縮により移動するアーム式ハンドリング装置を用いて、前記溶接ワイヤを溶接場所に供給する溶接支援システムにおいて、前記溶接ワイヤを収容しているワイヤホルダーを着脱可能に備える溶接ワイヤ送給装置に加えて、前記溶接ワイヤ送給装置から供給された前記溶接ワイヤを溶接機に送り出す溶接ワイヤ送り出し装置を備えると共に、この溶接ワイヤ送り出し装置を複数台、前記載置台に載置して構成されている。
【０００８】
この構成によれば、２５〜３０ｋｇの溶接ワイヤ送給装置に比べて、５ｋｇ程度と軽量な溶接ワイヤ送り出し装置を載置台に載置するので、２〜６台程度の溶接ワイヤ送り出し装置を載置台に載置でき、これらの溶接ワイヤ送り出し装置により、一基のアーム式ハンドリング装置で、２〜６台の溶接機を使用できるようになり、著しく、省スペースかつ低コストを維持しながら溶接作業の効率を向上できる。また、溶接ワイヤ送給装置と溶接ワイヤ送り出し装置との二段階の溶接ワイヤの送り出しを行うことにより、より遠方まで円滑に溶接ワイヤを供給できるようになる。
【０００９】
特に、手動溶接機にも溶接ワイヤを供給している場合には、手動溶接機を用いて手作業で仮付け作業を行ってから自動溶接機もしくは半自動溶接機をセットしてから自動溶接もしくは半自動溶接を行うことが多いので、また、自動溶接もしくは半自動溶接した後で手直し溶接したりすることもあるので、これらの作業のために、溶接ワイヤをいちいち手動溶接機にセットし直す手間が省け、溶接作業の効率を向上させることができる。
【００１０】
なお、ここでは、手動溶接は、溶接範囲及び溶接方向の設定と溶接行為を人が行う溶接方法のことをいい、半自動溶接とは、溶接範囲と溶接方向の設定は人が決め、溶接行為は（溶接台車等）機械が行う溶接方法のことをいう。また、自動溶接は、溶接範囲及び溶接方向の設定と溶接行為を機械（溶接ロボット等）が行う溶接方法のことをいう。
【００１１】
上記の溶接支援システムにおいて、前記載置台に前記溶接ワイヤ送り出し装置を駆動するための駆動用電気供給コンセントを設けて、この駆動用電気供給コンセントから前記溶接ワイヤ送り出し装置に電力を供給すると共に、前記溶接ワイヤ送り出し装置を前記載置台に対して着脱可能に設けて構成すると、溶接の作業場所によっては、必要に応じて溶接ワイヤ送り出し装置を載置台から取り外して、溶接現場により近い場所に移動できるようになる。また、載置台の溶接ワイヤ送り出し装置に加えて、溶接現場により近い場所にさらに溶接ワイヤ送り出し装置を加えることができるようになる。従って、二段又は多段の中継及び送り出しで、溶接ワイヤをより遠方の溶接作業場所に供給することができるようになるので、溶接作業をより向上させることができる。
【００１２】
上記の溶接支援システムにおいて、溶接電源装置からの電力を前記溶接機に供給する溶接用電力供給線を前記載置台経由で配線して構成されていると、溶接に必要な溶接ワイヤの供給路と溶接用電力の供給路をほぼ同じ場所にすることができるようになり、溶接準備作業や点検作業や終了作業をまとめて行えるようになるので作業効率をより向上できる。
【００１３】
上記の溶接支援システムにおいて、前記アーム式ハンドリング装置を、支柱とこの支柱に第１関節を介して接続された第１アームと、この第１アームの先端に第２関節を介して接続された第２アームと、この第２アームの先端に配置された前記載置台とから構成し、前記第１アームを前記第１関節により水平面内で旋回可能に取り付けると共に、前記第２アームを前記第２関節により先端側が水平面内で首振り可能でかつ前記載置台１６を上下移動可能に構成されていると、載置台を比較的簡単な構成で支柱回りに旋回及び上下で来て、作業員が操作し易い位置に配置することができるようになる。
【００１４】
上記の溶接支援システムにおいて、前記アーム式ハンドリング装置に前記溶接ワイヤ送給装置を取り付けて構成されていると、溶接ワイヤの供給経路の配置が単純化し、また、載置台を移動しても溶接ワイヤ送給装置及び溶接ワイヤが邪魔にならなくなる。
【００１５】
上記の溶接支援システムにおいて、前記アーム式ハンドリング装置を、溶接場所の基盤に対して着脱可能に構成されていると、造船場のような非常に大きな被溶接体（建造ブロック）に対して、溶接支援システムを比較的簡単に移動できるようになるので、被溶接体の溶接の進行具合に応じて、溶接支援システムをその建造時期における最も溶接に適した場所に移動できるので、溶接作業の効率をより向上することができるようになる。
【００１６】
上記の目的を達成するための本発明の溶接支援方法は、アームの先端の載置台を前記アームの旋回もしくは上下回転若しくは伸縮により移動するアーム式ハンドリング装置を用いて、溶接ワイヤを溶接場所に供給する溶接支援方法において、複数の溶接ワイヤ送給装置のワイヤホルダーから前記溶接ワイヤを供給すると共に、これらの前記溶接ワイヤを、前記載置台に載置され、かつ、前記溶接ワイヤ送給装置と同じ数の溶接ワイヤ送り出し装置で中継及び送り出しをすることにより、これらの前記溶接ワイヤを溶接機に送り出すことを特徴とする方法である。
【００１７】
この方法によれば、一基のアーム式ハンドリング装置の載置台に一括で載置している２〜６台程度の軽量な溶接ワイヤ送り出し装置により中継及び送り出しをして、複数の溶接ワイヤ送給装置から供給される各溶接ワイヤを各溶接機に送るので、一基のアーム式ハンドリング装置で、２〜６台の溶接機を使用できるようになり、著しく、省スペースかつ低コストを維持しながら溶接作業の効率を向上できる。
【００１８】
特に、手動溶接機にも溶接ワイヤを供給している場合には、手動溶接機を用いて手作業で仮付け作業を行ってから、自動溶接機もしくは半自動溶接機をセッティングして自動溶接もしくは半自動溶接を行うことが多いので、また、自動溶接もしくは半自動溶接した後で、手直し溶接したりすることもあるので、これらの作業のために、溶接ワイヤをいちいち手動溶接機にセットし直す手間が省け、溶接作業を向上させることができる。
【発明の効果】
【００１９】
本発明の溶接支援システム及び溶接支援方法によれば、アーム式ハンドリング装置を使用して、ある程度の範囲の溶接範囲で溶接する場合に、溶接ワイヤ送給装置に加えて、溶接ワイヤ送り出し装置を複数備えることにより、一基のアーム式ハンドリング装置で複数の溶接機を使用して二段構えで送り出しすることができて、省スペースかつ抵コストで溶接ワイヤを効率よく複数の溶接機に送給でき、溶接作業の効率を著しく向上できる。
【図面の簡単な説明】
【００２０】
【図１】本発明に係る実施の形態の溶接支援システムの構成を模式的に示す説明図である。
【図２】図１の溶接支援システムで溶接ワイヤ送り出し装置を載置台から取り外した場合と溶接ワイヤ送り出し装置を載置台と手元の２段階に配置した場合を模式的に例示する説明図である。
【図３】溶接ワイヤ送り出し装置の構成を模式的に示す説明図である。
【図４】比較例の溶接支援システムの構成を模式的に示す説明図である。
【発明を実施するための形態】
【００２１】
以下、本発明に係る実施の形態の溶接支援システムについて図面を参照しながら説明する。図１及び図２に示すように、本発明に係る実施の形態の溶接支援システム１は、アーム式ハンドリング装置１０を用いて、溶接ワイヤＷを溶接場所に供給する溶接支援システム１である。
【００２２】
図１及び図２に示すように、このアーム式ハンドリング装置１０では、支柱１１とこの支柱１１に第１関節１２を介して接続された第１アーム１３と、この第１アーム１３の先端に第２関節１４を介して接続された第２アーム１５と、この第２アーム１５の先端に配置された載置台１６とから構成されている。
【００２３】
この第１アーム１３は第１関節１２により水平面内で旋回可能に取り付けられ、また、第２アーム１５は、第２関節１４により先端側が水平面内で首振り可能とされ、さらに、シリンダ１５ａにより載置台１６を上下移動可能に構成している。また、さらに、必要に応じて、第１アーム１３はテレスコピック構造にして伸縮可能すると、支柱１１を中心にしてより広い範囲まで、載置台１６を移動して配置することができるようになる。これらの構成により、このアーム式ハンドリング装置１０では、載置台１６を比較的簡単な構成で水平面内で旋回及び垂直面内で上下できて、作業員が操作し易い位置に配置することができる。
【００２４】
そして、この溶接支援システム１では、溶接ワイヤＷを収容しているワイヤホルダー３１を着脱可能に備える溶接ワイヤ送給装置３０に加えて、溶接ワイヤ送給装置３０から供給された溶接ワイヤＷを自動溶接機５１、半自動溶接機５２、及び手動溶接機５３に送り出す溶接ワイヤ送り出し装置４０を備えると共に、この溶接ワイヤ送り出し装置４０を複数台（図１では３台）、載置台１６に載置して構成する。つまり、二段階で溶接ワイヤＷを溶接場所に送給する構成とする。また、載置台１６から、溶接ワイヤＷに加えて溶接用の電力供給配線Ｅと、溶接台車を駆動するための駆動用の電気配線ｅが、自動溶接機５１及び半自動溶接機５２のそれぞれに接続されている。
【００２５】
なお、ここでは、手動溶接は、溶接範囲及び溶接方向の設定と溶接行為を人が行う溶接方法のことをいい、半自動溶接とは、溶接範囲と溶接方向の設定は人が決め、溶接行為は（溶接台車等）機械が行う溶接方法のことをいう。また、自動溶接は、溶接範囲及び溶接方向の設定と溶接行為を機械（溶接ロボット等）が行う溶接方法のことをいう。
【００２６】
この構成によれば、２５〜３０ｋｇの溶接ワイヤ送給装置３０に比べて、５ｋｇ程度と軽量な溶接ワイヤ送り出し装置４０を載置台１６に載置するので、２〜６台程度の溶接ワイヤ送り出し装置４０を特別な補強なしに載置することができる。
【００２７】
また、この溶接機５０としては、自動溶接機５１、半自動溶接機５２、手動溶接機５３等があるが、特に、自動溶接機５１若しくは半自動溶接機５２と共に、並行して手動溶接機５３にも溶接ワイヤＷを供給するように構成した場合には、次のような効果を発揮できる。
【００２８】
つまり、手動溶接機５３を用いて手作業で仮付け作業を行ってから自動溶接機５１もしくは半自動溶接機５２をセットしてから、自動溶接もしくは半自動溶接を行うことが多い。また、自動溶接もしくは半自動溶接した後で手直し溶接したりすることもある。これらの手作業に対して、手動溶接機５３にも溶接ワイヤＷを供給することにより、これらの手動溶接機による溶接作業のために、溶接ワイヤ送給装置３０からの溶接ワイヤＷを自動溶接機５１若しくは半自動溶接機５２から手動溶接機５３にセットし直したり、再度、手動溶接機５３から自動溶接機５１若しくは半自動溶接機５２にセットし直したりすることが不要になる。これにより、溶接ワイヤＷを、いちいち、自動溶接機５１若しくは半自動溶接機５２と、手動溶接機５３との間でセットし直す手間が省けるので、溶接作業を向上させることができる。
【００２９】
ここで、溶接ワイヤ送給装置３０は、市販されている溶接ワイヤ送給装置を使用でき、溶接ワイヤＷを挟持したローラー（図示しない）を電動モータ（図示しない）で回転させる溶接ワイヤＷを引っ張り出して、ワイヤホルダー３１の回転軸に巻回された溶接ワイヤＷを繰り出す構造となっているため、１５〜２０ｋｇの溶接ワイヤＷを収容しているワイヤホルダー３１を備え、さらに、ローラーと電動モータがあるため、その重量は２５ｋｇ〜３０ｋｇ程度となる。
【００３０】
また、溶接ワイヤ送り出し装置４０は、図３に示すように、バネ４１の力Ｆｓにより溶接ワイヤＷを挟持したローラー４２を電動モータ４３で回転させることで溶接ワイヤＷを送り出す構造であり、溶接ワイヤ送給装置３０に比べて送り出す力も少なくてよいので、ローラー４２及び電動モータ４３が小さくて済み、その上に、ワイヤホルダー３１を備えていないので、５ｋｇ程度の重さとなる。なお、図３では、電動モータ４３の回転をモータ側プーリー４３ａからローラー側プーリー４２ａに伝動ベルト４４で伝えているが、歯車機構など他の手段であってもよい。
【００３１】
また、載置台１６に溶接用電力供給コネクタ１６ａと駆動用電気供給コンセント１６ｂを設けて、この溶接用電力供給コネクタ１６ａを経由して溶接機５０に溶接用電力を供給し、また、この駆動用電気供給コンセント１６ｂを経由して駆動用電源４から溶接ワイヤ送り出し装置４０に電気（１００Ｖ）を供給する。それと共に、溶接ワイヤ送り出し装置４０を載置台１６に対して着脱可能に設けて構成する。これにより、溶接の作業場所によっては、必要に応じて溶接ワイヤ送り出し装置４０を載置台１６から取り外して溶接現場により近い場所に移動して、溶接作業をより向上させる。
【００３２】
また、溶接機５０で消費する溶接用電力を供給する溶接電源装置（電流・電圧変換器）２０は、１００ｋｇ〜２００ｋｇ程度と重く、各溶接機５０毎に１台必要であるので、溶接機５０の溶接用電源（配電盤等）３を得易く、かつ、溶接工場などの溶接場所で邪魔にならない場所に配設される。そして、この溶接電源装置２０からの溶接用電力を溶接機５０に供給する溶接用電力供給線を載置台１６経由で配線することが好ましい。これにより、溶接に必要な溶接ワイヤＷの供給路と溶接用電力の供給路をほぼ同じ場所にすることができるようになり、溶接準備作業や点検作業や終了作業をまとめて行えるようになる。その結果、作業効率をより向上できる。
【００３３】
そして、アーム式ハンドリング装置１０を、溶接工場の基盤５に対して着脱可能に構成することが好ましい。この構成は、例えば、アーム式ハンドリング装置１０の支柱１１の下部の固定用突起１１ａを挿入固定できる支柱固定用孔２を幾つかの移動可能性のある場所に設けておき、クレーン（図示しない）でアーム式ハンドリング装置１０を吊上げて固定用突起１１ａを支柱固定用孔２から抜き取り、次の場所の支柱固定用孔２に固定用突起１１ａを挿入して固定する構成等で容易に実現できる。
【００３４】
この構成にすると、造船場のような非常に大きな被溶接体（建造ブロック）に対して、溶接支援システム１を比較的簡単に移動できるようになる。その結果、被溶接体の溶接の進行具合に応じて、溶接支援システム１をその時期の溶接場所に適した場所に移動できるようになるので、溶接作業の効率をより向上することができるようになる。
【００３５】
また、溶接ワイヤ送給装置３０は、アーム式ハンドリング装置１０に取り付けて構成することが好ましく、これにより、溶接ワイヤＷの供給経路の配置が単純化し、また、載置台１６を移動しても溶接ワイヤ送給装置３０及び溶接ワイヤＷが邪魔にならなくなる。また、アーム式ハンドリング装置１０をクレーンで移動するときに、同時に移動できるので、アーム式ハンドリング装置１０の移動作業時の手間を少なくすることができる。
【００３６】
図１の構成では、支柱１１に取り付けている。この取り付け位置は第１アーム１３より下の位置にすることにより、溶接ワイヤＷを第１アーム１３の下側に沿って這わせることが容易にできるようになる。また、第１アーム１３は作業員がその下を通過できるように作業員の高さよりも高い位置に設けられることが多いので、溶接ワイヤ送給装置３０のワイヤホルダー３１の高さを作業員が着脱し易い位置に設け易くなる。
【００３７】
そして、本発明の実施の形態の溶接支援方法は、第２アーム１５の先端の載置台１６を第１アーム１３及び第２アーム１５の旋回もしくは上下回転若しくは伸縮により移動するアーム式ハンドリング装置１０を用いて、溶接ワイヤＷを溶接場所に供給する溶接支援方法である。この溶接支援方法において、複数の溶接ワイヤ送給装置３０のワイヤホルダー３１から溶接ワイヤＷを供給すると共に、これらの溶接ワイヤＷを、載置台１６に載置され、かつ、溶接ワイヤ送給装置３０と同じ数の溶接ワイヤ送り出し装置４０で中継及び送り出しを行うことにより、これらの溶接ワイヤＷを溶接機５０に送り出す方法である。
【００３８】
上記の構成の溶接支援システム及び溶接支援方法によれば、一基のアーム式ハンドリング装置１０の載置台１６に一括で載置した２〜６台程度の軽量な溶接ワイヤ送り出し装置４０により中継及び送り出しを行って、複数の溶接ワイヤ送給装置３０から供給される各溶接ワイヤＷを各溶接機５０に送ることができる。
【００３９】
従って、これらの複数台の溶接ワイヤ送り出し装置４０により、一基のアーム式ハンドリング装置１０で、２〜６台の溶接機５０を使用できるようになる。そのため、図４の比較例に示すような、一基のアーム式ハンドリング装置１０の載置台１６に一台の溶接ワイヤ送給装置３０を載置した溶接支援システム１Ｘに比べて、著しく、省スペースかつ低コストを維持しながら溶接作業の効率を向上できる。
【００４０】
特に、手動溶接機５３にも溶接ワイヤＷを供給している場合には、手動溶接機５３を用いて手作業で仮付け作業を行ってから、自動溶接機５１もしくは半自動溶接機５２をセッティングして自動溶接もしくは半自動溶接を行うことが多いので、また、自動溶接もしくは半自動溶接した後で、手直し溶接したりすることもあるので、これらの作業のために、いちいち手動溶接機５３をセットし直す手間が省け、溶接作業を向上させることができる。
【００４１】
次に、本発明の効果をより明確にするために、図４に示すような、アーム式ハンドリング装置１０を用いた溶接支援システム１Ｘを比較例として示す。この溶接支援システム１Ｘのアーム式ハンドリング装置１０は、本発明のアーム式ハンドリング装置１０と同じである。
【００４２】
このアーム式ハンドリング装置１０では、載置台１６の上に一台の溶接ワイヤ送給装置３０を載置している。この溶接ワイヤ送給装置３０は、溶接電源装置２０からの電気供給を受けて、駆動モータ（図示しない）を駆動して溶接ワイヤＷを挟持するローラー（図示しない）を回転させて溶接ワイヤＷをワイヤホルダー３１から繰り出させて、溶接機５０に溶接ワイヤＷを供給している。
【００４３】
しかしながら、溶接作業の効率を向上させるために２台以上の溶接ワイヤ送給装置３０をアーム式アンドリング装置１０の載置台１６に配置しようとすると、溶接ワイヤ送給装置３０の重量が、１０ｋｇ〜１５ｋｇとなるワイヤホルダー３１を備えているので約２５ｋｇ〜３０ｋｇとなっているため、構造的な強度が不足して載置できないという問題が生じる。これに対して、アーム式ハンドリング装置１０を複数台配置しようとすると、隣接し合うアーム式ハンドリング装置１０の第１アーム１３及び第２アーム１５が互いに干渉しないように大きな作業スペースが必要になるという問題が生じる。
【００４４】
つまり、もっとも一般的に使用されているアーム式ハンドリング装置１０を使用した場合には、低コスト、優れた省スペース性など多くのメリットがある反面、載置台１６における許容荷重が小さく、搭載できる重量の制限があるというデメリットが存在する。そのため、ある溶接範囲内に複数の溶接機５０を使用する場合には、使用する溶接機５０の台数に比例して、アーム式ハンドリング装置１０を溶接範囲の周辺に増設する必要があり、その分だけコスト増加及び占有スペースの増加に繋がり、このアーム式ハンドリング装置１０のメリットを最大限に発揮できない。
【００４５】
この図４の比較例の溶接支援システム１Ｘに比べて、本発明の構成の溶接支援システム１及び溶接支援方法では、複数の溶接ワイヤ送給装置３０と、同じ数の溶接ワイヤ送り出し装置４０を複数備えて、溶接ワイヤ送り出し装置４０を載置台１６に載置することにより、一基のアーム式ハンドリング装置１０で複数の溶接機５０を広範囲で使用することができて、省スペースかつ抵コストで溶接ワイヤＷを効率よく複数の溶接機５０に送給でき、溶接作業の効率を著しく向上できる。
【符号の説明】
【００４６】
１、１Ｘ  溶接支援システム
２  支柱固定用孔
３  溶接用電源（配電盤等）
４  駆動用電源
５  基盤
１０  アーム式ハンドリング装置
１１  支柱
１１ａ  固定用突起
１２  第１関節
１３  第１アーム
１４  第２関節
１５  第２アーム
１５ａ  シリンダ
１６  載置台
１６ａ  溶接用電力供給コネクタ
１６ｂ  駆動用電気供給コンセント
２０  溶接電源装置（電流・電圧変換器）
３０  溶接ワイヤ送給装置
３１  ワイヤホルダー
４０  溶接ワイヤ送り出し装置
５０  溶接機
５１  自動溶接機（溶接機）
５２  半自動溶接機（溶接機）
５３  手動溶接機（溶接機）
Ｅ  溶接用の電力供給配線
ｅ  駆動用の電気配線
Ｗ  溶接ワイヤ
【図１】
2019155406.tif 000003
【図２】
2019155406.tif 000004
【図３】
2019155406.tif 000005
【図４】
2019155406.tif 000006